(57)【要約】【課題】自動車の据え置き限度期間と据え置き可能上限額を合理的に設定する。【解決手段】自動車の将来換金価格を決定する基準項目及び該基準項目の情報に対応して決定される将来換金価格と、自動車のリスク保全基本金額を決定する基準項目及び該基準項目の情報に対応して決定されるリスク保全基本金額を設定しておき、前記特定の自動車の将来換金価格と前記特定の自動車のリスク保全基本金額が一致する期日をもって据え置き限度期間とし、該据え置き限度期間の終了時及び前記据え置き限度期間内で任意に特定される据え置き期間の終了時における前記特定の自動車の将来換金価格を、据え置き限度期間及び前記据え置き限度期間内で任意に特定される据え置き期間における特定の自動車の据え置き可能上限額とする。【選択図】  図１
2004326286.tif 000002
【特許請求の範囲】
【請求項１】
特定の自動車の将来換金価格を決定する基準項目及び該基準項目の情報に対応して決定される将来換金価格と、特定の自動車のリスク保全基本金額を決定する基準項目及び該基準項目の情報に対応して決定されるリスク保全基本金額を設定しておき、前記特定な自動車の将来換金価格と前記特定の自動車のリスク保全基本金額が一致する期日をもって据え置き限度期間とし、該据え置き限度期間の終了時及び前記据え置き限度期間内で任意に特定される据え置き期間の終了時における前記特定の自動車の将来換金価格を、据え置き限度期間及び前記据え置き限度期間内で任意に特定される据え置き期間における特定の自動車の据え置き可能上限額とすることを特徴とする自動車の残金一部据え置きローンにおける据え置き限度期間と据え置き可能上限額設定方法。
【請求項２】
特定の自動車の将来換金価格を決定する基準項目及び該基準項目の基準情報に対応して決定される将来換金価格を記憶させた将来換金価格算出手段と、特定の自動車のリスク保全基本金額を決定する基準項目及び該基準項目の情報に対応して決定されるリスク保全基本金額を記憶させたリスク保全基本金額算出手段と、前記将来換金価格算出手段で算出された前記特定の自動車の将来換金価格と前記リスク保全基本金額算出手段で算出された前記特定の自動車のリスク保全基本金額が一致する期日を据え置き限度期間の限度期日とする据え置き限度期間設定手段と、据え置き限度期間設定手段で設定された据え置き限度期間の終了時及び前記据え置き限度期間内で任意に特定される据え置き期間の終了時における前記特定の自動車の将来換金価格を算出し、該将来換金価格を据え置き限度期間及び前記据え置き限度期間内で任意に特定される据え置き期間における特定の自動車の据え置き可能上限額とする据え置き可能上限額設定手段と、を備えたサーバーとクライアント端末とがネットワークを通して接続され、
クライアント端末からサーバーに、特定の自動車の将来換金価格を決定する前記基準項目に対応する販売対象の自動車の情報と、特定の自動車のリスク保全基本金額を決定する基準項目に対応する前記販売対象の自動車の情報を入力することにより、サーバーからクライアント端末に販売対象の自動車の据え置き限度期間と、該据え置き限度期間における据え置き可能限度額と、前記据え置き限度期間内における据え置き期間の変更及び据え置き額の変更の有無を求める表示が出力され、クライアント端末からサーバーに、据え置き期間の変更を入力することにより、サーバーからクライアント端末に、変更により特定された据え置き期間における前記販売対象の自動車の据え置き可能上限額が出力され、据え置き額の変更を入力することにより、サーバーからクライアント端末に、前記変更された据え置き額を据え置き可能限度額とする据え置き期間が出力されるようになっていることを特徴とする自動車の残金一部据え置きローンにおける据え置き限度期間と据え置き可能上限額提供システム。
【発明の詳細な説明】
【０００１】
【発明の属する技術分野】
本発明は、自動車の残金一部据え置きローンにおける据え置き限度期間と据え置き可能上限額設定方法及び自動車の残金一部据え置きローンにおける据え置き限度期間と据え置き可能上限額提供システム。
【０００２】
【従来の技術】
自動車を購入したときの支払い方法として、現金による一括払いの他に、ローンといった分割払いがあり、ローン払いが多く利用されている。このローンには、ローン元金を返済回数で割り、これに月々の元利金を併せて返済する、いわゆる通常ローンと、ローン元金の一部を返済最終回まで据え置き、残金を返済回数で割り、これに月々の元利金を併せて返済する、残金一部据え置きローンとが知られている。
【０００３】
前記残金一部据え置きローンは、楽な予算組で、より希望の自動車を購入することができるといったことから、近年残金一部据え置きローンが注目されてきている。残金一部据え置きローンにおいて、ユーザーやローン会社にとって重要なことは、取り扱える車種の特定、残金据え置き期間や据え置き金額等の設定である。
【０００４】
従来の自動車の残金一部据え置きローンでは、一般に、据え置き期間が３年、４年、５年に決められており、また、据え置き額は、決められた各据え置き期間に準じ、販売価格に任意に設定した指数を乗じた固定金額で決められていて、それ以外の据え置き期間や据え置き額の選択はなく、また、取り扱える車種にあっても、狭い範囲で特定された車種の新車や中古車に限られており、また、据え置き金額にあっては、自動車の販売時の販売価格を基準として、これに３０〜５０％を乗じるといった単純な算出方法により設定されているのが現状である。
【０００５】
【発明が解決しようとする課題】
しかしながら、前記従来の自動車の残金一部据え置きローンでは、据え置き期間が３年、４年、５年に決められていて、それ以外の期間の選択はなく、また、車種にあっても、狭い範囲で特定された車種の新車や中古車に限られているため、利用者にとって利用範囲が狭く、必ずしも便利なものとはなっていないといった問題があった。また、据え置き期間と据え置き金額にあっても、合理的な基準に基づいて算出されたものとはいえず、このため、据え置き満了時の据え置き金額と、そのときの自動車の価格に大きな乖離が生じて、据え置き金額保全リスクが高くなるおそれがあるといったことや、据え置き満了時に据え置き金額よりそのときの自動車の価格が下回り、購入者と販売店とローン会社間にトラブルが生じるおそれがあり、更には、据え置き満了時に自動車の財産価値が有る、即ち換金が可能であるにも拘わらず、残金一部据え置きローン取り扱い車種にならないといったケースが生じる場合がある、といった問題があった。
【０００６】
本発明の目的とするところは、特定の自動車の据え置き限度期間と据え置き可能上限額を合理的に設定する、自動車の残金一部据え置きローンにおける据え置き限度期間と据え置き可能上限額設定方法を提供することにある。
【０００７】
本発明の他の目的とするところは、特定の自動車の据え置き限度期間と据え置き可能上限額を合理的に設定し、ネットワークを通して提供する、自動車の残金一部据え置きローンにおける据え置き限度期間と据え置き可能上限額提供システムを提供することにある。
【０００８】
【課題を解決するための手段】
上記の目的を達成するために、請求項１に記載の発明は自動車の残金一部据え置きローンにおける据え置き限度期間と据え置き可能上限額設定方法であって、特定の自動車の将来換金価格を決定する基準項目及び該基準項目の情報に対応して決定される将来換金価格と、特定の自動車のリスク保全基本金額を決定する基準項目及び該基準項目の情報に対応して決定されるリスク保全基本金額を設定しておき、前記特定な自動車の将来換金価格と前記特定の自動車のリスク保全基本金額が一致する期日をもって据え置き限度期間とし、該据え置き限度期間の終了時及び前記据え置き限度期間内で任意に特定される据え置き期間の終了時における前記特定の自動車の将来換金価格を、据え置き限度期間及び前記据え置き限度期間内で任意に特定される据え置き期間における特定の自動車の据え置き可能上限額とすることを特徴とする。
【０００９】
このようにすることにより、据え置き限度期間及び据え置き可能上限額を合理的な基準に基づいて算出することができ、この据え置き可能上限額内で据え置き金額を設定することにより、据え置き期間満了時に据え置き金額よりそのときの自動車の換金価格が原則として下回るといったことがないので、据え置き金額保全リスクも低く、また、据え置き満了時に据え置き金額よりそのときの自動車の換金価格の乖離による購入者と販売店とローン会社間のトラブルも防止できる。
【００１０】
更に、据え置き期間は、前記据え置き限度期間内で自由に変更することが可能となり、据え置き期間を変更することにより、変更後の据え置き限度期間内における据え置き可能上限額が設定される。また、据え置き金額の変更も可能となり、据え置き金額を変更することにより、変更後の金額を据え置き可能上限額とする据え置き期間が決定される。
【００１１】
更には、据え置き限度期間及び据え置き限度期間で特定された据え置き期間における据え置き可能上限額を合理的な基準に基づいて算出することができるので、取り扱える車種にあっても、広い範囲での特定が可能となり、広い範囲で特定された自動車の残金一部据え置きローンが可能となる。
【００１２】
請求項２に記載の発明は自動車の残金一部据え置きローンにおける据え置き限度期間と据え置き可能上限額提供システムであって、特定の自動車の将来換金価格を決定する基準項目及び該基準項目の基準情報に対応して決定される将来換金価格を記憶させた将来換金価格算出手段と、特定の自動車のリスク保全基本金額を決定する基準項目及び該基準項目の情報に対応して決定されるリスク保全基本金額を記憶させたリスク保全基本金額算出手段と、前記将来換金価格算出手段で算出された前記特定の自動車の将来換金価格と前記リスク保全基本金額算出手段で算出された前記特定の自動車のリスク保全基本金額が一致する期日を据え置き限度期間の限度期日とする据え置き限度期間設定手段と、据え置き限度期間設定手段で設定された据え置き限度期間の終了時及び前記据え置き限度期間内で任意に特定される据え置き期間の終了時における前記特定の自動車の将来換金価格を算出し、該将来換金価格を据え置き限度期間及び前記据え置き限度期間内で任意に特定される据え置き期間における特定の自動車の据え置き可能上限額とする据え置き可能上限額設定手段と、を備えたサーバーとクライアント端末とがネットワークを通して接続され、  クライアント端末からサーバーに、特定の自動車の将来換金価格を決定する前記基準項目に対応する販売対象の自動車の情報と、特定の自動車のリスク保全基本金額を決定する基準項目に対応する前記販売対象の自動車の情報を入力することにより、サーバーからクライアント端末に販売対象の自動車の据え置き限度期間と、該据え置き限度期間における据え置き可能限度額と、前記据え置き限度期間内における据え置き期間の変更及び据え置き額の変更の有無を求める表示が出力され、クライアント端末からサーバーに、据え置き期間の変更を入力することにより、サーバーからクライアント端末に、変更により特定された据え置き期間における前記販売対象の自動車の据え置き可能上限額が出力され、据え置き額の変更を入力することにより、サーバーからクライアント端末に、前記変更された据え置き額を据え置き可能限度額とする据え置き期間が出力されるようになっていることを特徴とする。
【００１３】
このようにすることにより、合理的な基準に基づいて算出された据え置き限度期間及び据え置き可能上限額をクライアント端末で知ることができ、この据え置き可能上限額内で据え置き金額を設定することにより、据え置き期間満了時に据え置き金額よりそのときの自動車の換金価格が原則として下回るといったことがないので、据え置き金額保全リスクも低く、また、据え置き満了時に据え置き金額と、そのときの自動車の換金価格の乖離による購入者と販売店とローン会社間のトラブルも防止できる。
【００１４】
更に、据え置き期間は、前記据え置き限度期間内で自由に変更することが可能となり、据え置き期間を変更することにより、変更後の据え置き限度期間内における据え置き可能上限額が設定される。また、据え置き金額の変更も可能となり、据え置き金額を変更することにより、変更後の金額を据え置き可能上限額とする据え置き期間が決定される。
【００１５】
更には、据え置き限度期間及び据え置き限度期間で特定された据え置き期間における据え置き可能上限額を合理的な基準に基づいて算出することができるので、取り扱える車種にあっても、広い範囲での特定が可能となり、広い範囲で特定された自動車の残金一部据え置きローンが可能となるといったことから、残金一部据え置きローンの利用範囲が広くなり、自動車の販売やローンの取り扱いが促進される。
【００１６】
【発明の実施の形態】
以下、本発明に係る自動車の残金一部据え置きローンにおける据え置き限度期間と据え置き可能上限額提供システムの実施の形態の一例を図面を参照して説明する。
【００１７】
図１は本例の構成を示すブロック図である。同図において、１はサーバーであり、電話回線を経由してインターネット２に接続されている。３はクライアント端末であり、サーバー１と同様に電話回線を経由してインターネット２に接続されている。
【００１８】
前記サーバー１にあっては、扱える自動車を特定する自動車特定基準項目及び自動車特定基準項目の情報に対応して決定される取り扱い可否を記憶させた扱い自動車特定手段４と、特定の自動車の将来換金価格を決定する基準項目及び該基準項目の基準情報に対応して決定される将来換金価格を記憶させた将来換金価格算出手段５と、特定の自動車のリスク保全基本金額を決定する基準項目及び該基準項目の情報に対応して決定されるリスク保全基本金額を記憶させたリスク保全基本金額算出手段６と、前記将来換金価格算出手段５で算出された前記特定の自動車の将来換金価格と前記リスク保全基本金額算出手段６で算出された前記特定の自動車のリスク保全基本金額の一致する期日を据え置き限度期間の限度期日とする据え置き限度期間設定手段７と、据え置き限度期間設定手段７で設定された据え置き限度期間の終了時及び前記据え置き限度期間内で任意に特定される据え置き期間の終了時における前記特定の自動車の将来換金価格を算出し、該将来換金価格を据え置き限度期間及び前記据え置き限度期間内で任意に特定される据え置き期間における特定の自動車の据え置可能上限額とする据え置き可能上限額設定手段８と、前記扱い自動車特定手段４、将来換金価格算出手段５、リスク保全基本金額算出手段６、据え置き限度期間設定手段７及び据え置き可能上限額設定手段８の相互の制御を行う制御手段９と、入力制御手段１０と、出力制御手段１１とで構成されている。
【００１９】
前記扱える自動車を特定する自動車特定基準項目及び自動車特定基準項目の情報に対応して決定される取り扱い可否を記憶させた扱い自動車特定手段４にあっては、扱える自動車を特定する自動車特定基準項目は、ローン会社、販売店、購入者等それぞれのリスクを少なくできることにより、これら利用者の利用を容易にするものとして設定されており、自動車特定基準項目として、年式、車種、グレード、ボディカラー、現時点の走行距離、オプション装備、将来の予想走行距離、その他の必要な基準項目があり、かかる項目に入力された情報に対応して決定される取り扱い可否が記憶されている。
【００２０】
前記特定の自動車の将来換金価格を決定する基準項目及び該基準項目の基準情報に対応して決定される将来換金価格を記憶させた将来換金価格算出手段５にあっては、特定の自動車の将来換金価格を決定する基準項目として、年式、車種、グレード、ボディカラー、現時点の走行距離、オプション装備、将来の予想走行距離、その他の自動車の将来換金価格を決定するのに必要な基準項目があり、かかる項目に入力された情報に対応して決定される将来換金価格が記憶されている。
【００２１】
特定の自動車のリスク保全基本金額を決定する基準項目及び該基準項目の情報に対応して決定されるリスク保全基本金額を記憶させたリスク保全基本金額算出手段６にあっては、特定の自動車のリスク保全基本金額を決定する基準項目として、年式、車種、グレード、オプション装備、その他の自動車のリスク保全基本金額を決定するのに必要な基準項目があり、かかる項目に入力された情報に対応して決定されるリスク保全基本金額が記憶されている。
【００２２】
次に、本実施形態の動作について説明する。図２は動作を示すフローチャートである。
【００２３】
サーバー１にクライアント端末３が接続されると、ステップＳ１でクライアント端末３の画面に、前記扱える自動車を特定する自動車特定基準項目と、特定の自動車の将来換金価格を決定する基準項目と、特定の自動車のリスク保全基本金額を決定する基準項目及び該基準項目が表示されるとともに、項目で求める情報を入力することを促す表示がなされる。
【００２４】
クライアントが販売対象の自動車について、扱える自動車を特定する自動車特定基準項目に対応する販売対象の自動車の情報と、特定の自動車の将来換金価格を決定する基準項目に対応する販売対象の自動車の情報と、特定の自動車のリスク保全基本金額を決定する基準項目に対応する販売対象の自動車の情報を入力すると、サーバー１で、前記情報により、扱い自動車特定手段４により販売対象の自動車の扱いの可否が決定され、販売対象の自動車の扱いが不可と決定された場合は、ステップＳ２でクライアント端末３の画面に販売対象の自動車の扱い不可が表示される。
【００２５】
一方、販売対象の自動車の扱いが可と決定された場合は、特定の自動車の将来換金価格を決定する基準項目に対応して入力された販売対象の自動車の情報を基に前記将来換金価格算出手段５により算出された前記販売対象の自動車の将来換金価格と、特定の自動車のリスク保全基本金額を決定する基準項目に対応して入力された販売対象の自動車の情報を基に前記リスク保全基本金額算出手段６により算出された前記特定の自動車のリスク保全基本金額の一致する期日を前記据え置き限度期間設定手段７で見出し、これを据え置き限度期間の限度期日とする据え置き限度期間として設定されるとともに、前記リスク保全基本金額を該据え置き限度期間における据え置き可能限度額として設定され、
ステップＳ３でクライアント端末３の画面に、販売対象の自動車の据え置き限度期間と、該据え置き限度期間における据え置き可能限度額と、前記据え置き限度期間内における据え置き期間の変更及び据え置き額の変更の有無の入力を促す表示がなされる。
【００２６】
クライアントが、前記購入者が希望する特定された据え置き期間の変更の有を入力すると、ステップＳ４でクライアント端末３の画面に、前記販売対象の自動車の変更する据え置き期間を入力することを促す表示がなされる。
【００２７】
クライアントが、変更した据え置き期間を入力すると、該変更後の特定された据え置き期間終了時における販売対象の自動車の将来換金価格を将来換金価格算出手段５で算出し、据え置き可能上限額設定手段８で、前記算出された変更後の特定された据え置き期間終了時における販売対象の自動車の将来換金価格を変更後の据え置き期間の据え置き可能上限額として設定し、ステップＳ５でクライアント端末３の画面に、前記販売対象の自動車の据え置き期間変更後の据え置き可能上限額が表示される。
【００２８】
また、クライアントが、据え置き金額の変更の有を入力すると、ステップＳ６でクライアント端末３の画面に、前記販売対象の自動車の変更する据え置き金額を入力することを促す表示がなされる。
【００２９】
クライアントが、変更した据え置き金額を入力すると、将来換金価格算出手段５で前記入力された据え置き金額を将来換金価格とする将来の期日が算出され、該期日を前記据え置き限度期間設定手段７により据え置き期間として設定され、ステップＳ７でクライアント端末３の画面に、据え置き金額の変更によって変更された前記販売対象の自動車の据え置き期間が表示される。
【００３０】
以上の動作により、端末操作者であるクライアントは、自動車の残金一部据え置きローンにおいて、合理的な基準に基づいて算出された据え置き限度期間と据え置き可能上限額を知ることができ、据え置き限度期間と据え置き可能上限額内で、購入者の希望する据え置き期間と据え置き額を設定することができる。
【００３１】
【発明の効果】
以上のように、本発明によれば、自動車の残金一部据え置きローンにおいて、合理的な基準に基づいて算出された据え置き限度期間及び据え置き限度期間内で特定された据え置き期間における据え置き可能上限額をクライアント端末で容易に知ることができ、この据え置き可能上限額内で据え置き金額を設定することにより、据え置き期間満了時に据え置き金額よりそのときの自動車の換金価格が原則として下回るといったことがないので、ローン会社にとって据え置き金額保全リスクも低く、また、据え置き満了時に据え置き金額と、そのときの自動車の換金価格の乖離による購入者と販売店とローン会社間のトラブルも防止することができる。
【００３２】
更に、一度設定した据え置き期間は、前記据え置き限度期間内で自由に変更することが可能となり、また、据え置き金額も変更することが可能となる。更には、据え置き限度期間及び据え置き限度期間で特定された据え置き期間における据え置き可能上限額を合理的な基準に基づいて算出することができるので、取り扱える車種にあっても、広い範囲での特定が可能となり、広い範囲で特定された自動車の残金一部据え置きローンが可能となるといったことから、残金一部据え置きローンの利用範囲が広くなり、自動車の販売やローンの取り扱いを促進することができる。
【図面の簡単な説明】
【図１】本発明に係る自動車の残金一部据え置きローンにおける据え置き限度期間と据え置き可能上限額提供システムの実施の形態の一例を示すブロック図である。
【図２】前記実施形態の処理動作を示すフローチャートである。
【符号の説明】
１    サーバー
２    インターネット
３    クライアント端末
４    扱い自動車特定手段
５    将来換金価格算出手段
６    リスク保全基本金額算出手段
７    据え置き限度期間設定手段
８    据え置き可能上限額設定手段
９    制御手段
１０  入力制御手段
１１  出力制御手段
【図１】
2004326286.tif 000003
【図２】
2004326286.tif 000004